(57)【要約】【課題】狭額縁化を図りつつ、スイッチ素子およびリモコン信号受信素子を含む基板の構造を簡素化することが可能な表示装置を提供する。【解決手段】このＴＶ１００（表示装置）は、前後方向に延びる内面１０１を含むフロントキャビネット１０と、フロントキャビネット１０の前面側から露出するように配置された液晶セル３０２と、一方の表面１ｂに配置され、スイッチ操作を検出するタクトスイッチ１４と、他方の表面１ａに配置され、リモコンの操作信号の入力を検出するリモコンセンサ１３とを含む１つの操作用基板１とを備え、操作用基板１は、フロントキャビネット１０の前後方向に延びる内面１０１に対して略平行な状態で対向するように配置されている。【選択図】図２
2014107856.tif 000002
【特許請求の範囲】
【請求項１】
前後方向に延びる内面を含む筺体と、
前記筺体の前面側から露出するように配置された表示部と、
一方の表面に配置され、スイッチ操作を検出するスイッチ素子と、他方の表面に配置され、リモコンの操作信号の入力を検出するリモコン信号受信素子とを含む１つの基板とを備え、
前記基板は、前記筺体の前後方向に延びる前記内面に対して略平行な状態で対向するように配置されている、表示装置。
【請求項２】
前記スイッチ素子は、前記筺体の前面と直交する前後方向に延びる側面の前記内面に対向する側の前記基板の表面に配置され、
前記リモコン信号受信素子は、前記基板の前記筺体の前記内面に対向する側とは反対側の表面に配置されている、請求項１に記載の表示装置。
【請求項３】
前記スイッチ素子は、前記筺体の下部の前記側面の内面に対向する側の前記基板の表面に配置されている、請求項２に記載の表示装置。
【請求項４】
前記筺体は、前面側に設けられた貫通孔を含み、
前記基板の他方の表面に配置された前記リモコン信号受光素子は、前記貫通孔を介して前面側から入力されたリモコンの操作信号を検出可能なように構成されている、請求項１〜３のいずれか１項に記載の表示装置。
【請求項５】
前記基板は、前記スイッチ素子および前記リモコン信号受信素子に加えて、前記基板のリモコン信号受信素子が配置された側の表面に配置された、前記筺体の周辺の照度を検出する照度検出素子および前記表示部の状態を表示する発光素子をさらに含む、請求項１〜４のいずれか１項に記載の表示装置。
【請求項６】
前記リモコン信号受信素子と、前記照度検出素子と、前記発光素子とを覆うように配置される１つのレンズ部材をさらに備え、
前記１つのレンズ部材は、リモコンの操作信号としての光を前記基板に向けて反射させて前記リモコン信号受信素子に入射させるとともに、外部からの光を前記基板に向けて反射させて前記照度検出素子に入射させ、かつ、前記発光素子から出射された前記表示部の状態を表示する光を前記基板に対して略平行な方向に反射させて前記筺体の前面側に照射するように構成されている、請求項５に記載の表示装置。
【請求項７】
前記基板は、略長方形形状を有し、
前記筺体の前後方向に延びる前記内面に対向する側の前記基板の表面から前記レンズ部材の先端部までの高さは、前記筺体の前後方向に沿った前記基板の短辺の長さよりも小さい、請求項６に記載の表示装置。
【請求項８】
前記筺体は、樹脂で形成されるとともに、切込部を形成することにより前記スイッチ素子に対応する位置に撓み変形可能なボタン部を含み、
前記基板のスイッチ素子の近傍には、前記切込部から侵入した静電気を放電するためのグランドパターンが前記基板の表面に露出するように配置されている、請求項１〜７のいずれか１項に記載の表示装置。
【請求項９】
筺体の内部に設けられる金属製のベゼルをさらに備え、
前記基板の前記グランドパターンは、前記ベゼルに電気的に接続されるように構成されている、請求項８に記載の表示装置。
【請求項１０】
前記基板は、略長方形形状を有するとともに、平面視において、長辺に形成された第１位置決め部と、一方の短辺に形成された第２位置決め部とを含み、
前記筺体は、前記第１位置決め部に対応する位置に形成された第３位置決め部と、前記第２位置決め部に対応する位置に形成された第４位置決め部と、前記基板の他方の短辺近傍を固定する固定部とを含む、請求項１〜９のいずれか１項に記載の表示装置。
【発明の詳細な説明】
【技術分野】
【０００１】
この発明は、表示装置に関し、特に、基板が設けられた表示装置に関する。
【背景技術】
【０００２】
従来、基板が設けられた表示装置が知られている（たとえば、特許文献１参照）。
【０００３】
上記特許文献１には、筺体と、液晶パネル（表示部）と、ユーザの手指によるスイッチ操作を検出するスイッチ（スイッチ素子）が実装された第１Ｘ−ＰＣＢと、第１Ｘ−ＰＣＢとは別個に設けられ、リモコンの操作信号を検出するリモコン受信回路（リモコン信号受信素子）などが実装された第２Ｘ−ＰＣＢとを備える液晶ディスプレイ装置（表示装置）が開示されている。また、スイッチは、第１Ｘ−ＰＣＢの一方の表面に実装されている。また、リモコン受信回路は、第２Ｘ−ＰＣＢの一方の表面に実装されている。
【０００４】
また、第１Ｘ−ＰＣＢと、第２Ｘ−ＰＣＢとは、それぞれ、液晶パネルの前後方向に延びる面に対して平行な状態で対向するように配置されている。また、第１Ｘ−ＰＣＢと、第２Ｘ−ＰＣＢとは、それぞれ、筺体の前後方向に延びる内面に対して平行な状態で対向するように配置されていると考えられる。また、この液晶ディスプレイ装置では、第１Ｘ−ＰＣＢと、第２Ｘ−ＰＣＢとを、それぞれ、筺体の前後方向に延びる内面に対して平行な状態で配置することにより、第１Ｘ−ＰＣＢと、第２Ｘ−ＰＣＢとを前後方向に対して垂直な状態で配置した場合に比べて、第１Ｘ−ＰＣＢと、第２Ｘ−ＰＣＢとを配置するための前後方向に対して垂直な方向のスペースを小さくしている。これにより、この液晶ディスプレイ装置では、液晶パネルを囲む額縁の幅が大きくなるのが抑制されている。
【先行技術文献】
【特許文献】
【０００５】
【特許文献１】特開２０１２−４２５８０号公報
【発明の概要】
【発明が解決しようとする課題】
【０００６】
しかしながら、上記特許文献１の液晶ディスプレイ装置では、第１Ｘ−ＰＣＢと第２Ｘ−ＰＣＢとを筺体の前後方向に延びる内面に対して平行な状態で配置することにより狭額縁化が図られている一方、ユーザの手指によるスイッチ操作を検出するスイッチ（スイッチ素子）と、リモコンの操作信号を検出するリモコン受信信号回路（リモコン信号受信素子）とが、それぞれ、別個の第１Ｘ−ＰＣＢと、第２Ｘ−ＰＣＢとの一方の表面に実装されているので、液晶ディスプレイ装置（表示装置）の構造が複雑化する。このため、表示装置のスイッチおよびリモコン受信回路を含む基板の構造を簡素化することが望まれている。
【０００７】
この発明は、上記のような課題を解決するためになされたものであり、この発明の１つの目的は、狭額縁化を図りつつ、スイッチ素子およびリモコン信号受信素子を含む基板の構造を簡素化することが可能な表示装置を提供することである。
【課題を解決するための手段】
【０００８】
この発明の一の局面による表示装置は、前後方向に延びる内面を含む筺体と、筺体の前面側から露出するように配置された表示部と、一方の表面に配置され、スイッチ操作を検出するスイッチ素子と、他方の表面に配置され、リモコンの操作信号の入力を検出するリモコン信号受信素子とを含む１つの基板とを備え、基板は、筺体の前後方向に延びる内面に対して略平行な状態で対向するように配置されている。
【０００９】
この発明の一の局面による表示装置では、上記のように、スイッチ操作を検出するスイッチ素子と、リモコンの操作信号の入力を検出するリモコン信号受信素子とを含む１つの基板を設けることによって、スイッチ素子と、リモコン信号受信素子とを同一の基板に設けることができるので、手動操作を検出するスイッチ素子と、リモコン操作を検出するリモコン信号受信素子とを別個の基板に設ける場合とは異なり、スイッチ素子およびリモコン信号受信素子を含む基板の構造を簡素化することができる。また、基板を筺体の前後方向に延びる内面に対して略平行な状態で対向するように配置することによって、基板を筺体の前後方向に対して垂直な状態で配置した場合に比べて、基板を配置するための筺体の前後方向に対して垂直な方向のスペースを小さくすることができるので、表示装置の額縁が大きくなるのを抑制することができる。この結果、表示装置の狭額縁化を図りつつ、スイッチ素子およびリモコン信号受信素子を含む基板の構造を簡素化することができる。また、１つの基板の一方の表面にスイッチ素子を配置し、他方の表面にリモコン信号受信素子を配置することによって、基板の両面を用いて、スイッチ素子とリモコン信号受信素子とを、それぞれ、実装することができるので、基板の片面にのみスイッチ素子とリモコン信号受信素子との両方を実装する場合と異なり、１つの基板にスイッチ素子とリモコン信号受信素子とを効率よく実装することができる。その結果、基板を容易に小型化することができる。また、リモコン操作を検出するリモコン信号受信素子をスイッチ素子が実装された基板とは別な基板に実装する場合とは異なり、同一の基板の表面／裏面にスイッチ素子とリモコン信号受信素子とを配置することができるので、予めユーザがスイッチ素子の位置が分かっている場合には、スイッチ素子が配置されている位置に向けてリモコンを操作することにより、確実にリモコン信号受信素子にリモコンの操作信号を受信させることができる。
【００１０】
上記一の局面による表示装置において、好ましくは、スイッチ素子は、筺体の前面と直交する前後方向に延びる側面の内面に対向する側の基板の表面に配置され、リモコン信号受信素子は、基板の筺体の内面に対向する側とは反対側の表面に配置されている。このように構成すれば、ユーザがスイッチ素子を操作する際に、前後方向に対して垂直な方向に向けて操作力を加えることができるので、前後方向に向かって操作力が加えられる場合とは異なり、表示装置（表示部）が前後方向に揺れてしまうのを抑制することができる。
【００１１】
この場合、好ましくは、スイッチ素子は、前記筺体の下部の前記側面の内面に対向する側の前記基板の表面に配置されている。このように構成すれば、ユーザがスイッチ素子を操作する際に、操作力が加わる方向とは反対方向（鉛直方向）に表示装置の自重が作用されるので、表示装置（表示部）が上下方向にがたついたり、表示装置の設置位置がずれてしまうのを容易に抑制することができる。
【００１２】
上記一の局面による表示装置において、好ましくは、筺体は、前面側に設けられた貫通孔を含み、基板の他方の表面に配置されたリモコン信号受光素子は、貫通孔を介して前面側から入力されたリモコンの操作信号を検出可能なように構成されている。このように構成すれば、リモコン信号受光素子により、表示部の前面側から入力されたリモコンの操作信号を容易に検出することができる。
【００１３】
上記一の局面による表示装置において、好ましくは、基板は、スイッチ素子およびリモコン信号受信素子に加えて、基板のリモコン信号受信素子が配置された側の表面に配置された、筺体の周辺の照度を検出する照度検出素子および表示部の状態を表示する発光素子をさらに含む。このように構成すれば、基板の両面を用いて、１つの基板にスイッチ素子とリモコン信号受光素子と照度検出素子と発光素子とを効率よく実装することができる。
【００１４】
この場合、好ましくは、リモコン信号受信素子と、照度検出素子と、発光素子とを覆うように配置される１つのレンズ部材をさらに備え、１つのレンズ部材は、リモコンの操作信号としての光を基板に向けて反射させてリモコン信号受信素子に入射させるとともに、外部からの光を基板に向けて反射させて照度検出素子に入射させ、かつ、発光素子から出射された表示部の状態を表示する光を基板に対して略平行な方向に反射させて筺体の前面側に照射するように構成されている。このように構成すれば、１つのレンズ部材により、外部からの信号および光を、リモコン受信素子および照度検出素子がそれぞれ検出し易い方向に反射させることができるので、確実に外部からの信号および光を検出することができる。また、１つのレンズ部材により、発光素子から基板に対して垂直な方向に向けて出射された光を表示装置の前面側に向けて反射させることができるので、確実にユーザに対して表示部の状態を通知することができる。また、１つのレンズ部材により上記のような複数の反射機能を得ることができるので、部品点数の増加を抑制し、かつ、構造が複雑化することがない。
【００１５】
上記レンズ部材をさらに備える構成において、好ましくは、基板は、略長方形形状を有し、筺体の前後方向に延びる内面に対向する側の基板の表面からレンズ部材の先端部までの高さは、筺体の前後方向に沿った基板の短辺の長さよりも小さい。このように構成すれば、基板にレンズ部材を設けた場合でも、基板を筺体の前後方向に対して垂直な状態で配置した場合に比べて、基板を配置するための筺体の前後方向に対して垂直な方向のスペースを小さくすることができる。これにより、表示装置の額縁が大きくなるのを抑制しながら、確実に、外部からの信号および光を検出し、かつ、ユーザに対して表示部の状態を通知することができる。
【００１６】
上記一の局面による表示装置において、好ましくは、筺体は、樹脂で形成されるとともに、切込部を形成することによりスイッチ素子に対応する位置に撓み変形可能なボタン部を含み、基板のスイッチ素子の近傍には、切込部から侵入した静電気を放電するためのグランドパターンが基板の表面に露出するように配置されている。このように構成すれば、ボタン部が押下された際に、切込部から表示装置内部に侵入する静電気をグランドパターンにより除去することができるので、ボタン部が押下された際に侵入する静電気に起因して、スイッチ素子が誤動作を起こすのを抑制することができる。
【００１７】
この場合、好ましくは、筺体の内部に設けられる金属製のベゼルをさらに備え、基板のグランドパターンは、ベゼルに電気的に接続されるように構成されている。このように構成すれば、グランドパターンに流れた静電気をベゼルに流して、容易に、放電することができる。
【００１８】
上記一の局面による表示装置において、好ましくは、基板は、略長方形形状を有するとともに、平面視において、長辺に形成された第１位置決め部と、一方の短辺に形成された第２位置決め部とを含み、筺体は、第１位置決め部に対応する位置に形成された第３位置決め部と、第２位置決め部に対応する位置に形成された第４位置決め部と、基板の他方の短辺近傍を固定する固定部とを含む。このように構成すれば、基板の第１位置決め部と、筺体の第３位置決め部とにより、筺体に対する基板の長辺方向の位置決めを行うとともに、基板を第２位置決め部と、筺体の第４位置決め部とにより、筺体に対する基板の短辺方向の位置決めを行った状態で、固定部により基板を筺体に固定することができる。これにより、基板を筺体の正確な位置に容易かつ確実に固定することができる。
【発明の効果】
【００１９】
本発明によれば、上記のように、狭額縁化を図りつつ、スイッチ素子およびリモコン信号受信素子を含む基板の構造を簡素化することができる。
【図面の簡単な説明】
【００２０】
【図１】本発明の一実施形態によるＴＶの全体構成を示した図である。
【図２】本発明の一実施形態によるＴＶの全体構成を示した分解斜視図である。
【図３】本発明の一実施形態によるＴＶのフロントキャビネットに取り付けた操作用基板を示した図である。
【図４】本発明の一実施形態によるＴＶのフロントキャビネットに取り付けた操作用基板を拡大した図である。
【図５】本発明の一実施形態によるＴＶを下面側から見た図である。
【図６】図４の５００−５００線に沿った断面図である。
【図７】本発明の一実施形態によるＴＶのフロントキャビネットの背面側を示した図である。
【図８】本発明の一実施形態によるＴＶのフロントキャビネットの背面側を拡大した図である。
【図９】本発明の一実施形態によるＴＶのフロントキャビネットの内面をＺ１方向側から見た図である。
【図１０】本発明の一実施形態によるＴＶのフロントキャビネットを下面側から見た図である。
【図１１】本発明の一実施形態によるＴＶの操作用基板のＺ１方向側の表面を示した図である。
【図１２】本発明の一実施形態によるＴＶの操作用基板のＺ２方向側の表面を示した図である。
【図１３】本発明の一実施形態によるＴＶのアースプレートを示した図である。
【図１４】本発明の一実施形態によるＴＶのレンズ部材の前面側を示した図である。
【図１５】本発明の一実施形態によるＴＶのレンズ部材の背面側を示した図である。
【発明を実施するための形態】
【００２１】
以下、本発明の実施形態を図面に基づいて説明する。
【００２２】
図１〜図１５を参照して、本発明の一実施形態によるＴＶ（テレビジョン装置）１００の構成について説明する。なお、テレビジョン装置１００は、本発明の「表示装置」の一例である。
【００２３】
本発明の一実施形態によるＴＶ１００は、図１に示すように、ＴＶ１００の前面側（Ｘ１方向側）にフロントキャビネット１０を備えている。また、ＴＶ１００は、図２に示すように、前面側から順に、フロントキャビネット１０と、ベゼル２０と、液晶モジュール３０と、ヒートシンク４０と、ＬＥＤモジュール５０と、リアキャビネット６０と、メイン基板７０と、リアカバー８０とを備えている。フロントキャビネット１０とリアキャビネット６０との間には、ベゼル２０と、液晶モジュール３０と、ヒートシンク４０と、ＬＥＤモジュール５０とが配置されている。また、フロントキャビネット１０には、操作用基板１と、レンズ部材２と、アースプレート３とが取り付けられるように構成されている。また、ＴＶ１００は、チューナ３００（図１参照）により放送信号を受信可能なように構成されている。なお、フロントキャビネット１０は、本発明の「筺体」の一例である。また、操作用基板１は、本発明の「基板」の一例である。
【００２４】
ここで、本実施形態では、フロントキャビネット１０は、図１、図２および図７に示すように、平面視において、略長方形形状を有する枠状に形成されている。また、フロントキャビネット１０は、樹脂により形成されている。また、フロントキャビネット１０は、図７および図８に示すように、前後方向（Ｘ方向）に延びる内面１０１を含んでいる。また、内面１０１は、前後方向に対して、略平行になるように形成されている。また、図４、および図６〜図９に示すように、フロントキャビネット１０の下部（Ｚ２方向側）の内面１０１側には、Ｙ方向位置決め部１０２（図９参照）と、Ｘ方向位置決め部１０３と、固定部１０４とが形成されている。Ｙ方向位置決め部１０２と、Ｘ方向位置決め部１０３とは、操作用基板１をフロントキャビネット１０に対して位置決めするための機能を有している。また、固定部１０４は、フロントキャビネット１０に対して位置決めされた操作用基板１をフロントキャビネット１０に固定する機能を有している。また、図６〜図９に示すように、フロントキャビネット１０の下部の内面１０１側には、レンズ部材２をフロントキャビネット１０に固定するための６つのレンズ固定部１０５が形成されている。また、操作用基板１は、図４に示すように、厚みｔを有するように構成されている。なお、Ｙ方向位置決め部１０２は、本発明の「第３位置決め部」の一例である。また、Ｘ方向位置決め部１０３は、本発明の「第４位置決め部」の一例である。
【００２５】
また、図３〜図５および図７〜図１０に示すように、フロントキャビネット１０（図１参照）の下縁部１０ａには、７つのボタン部１０６が形成されている。具体的には、図９および図１０に示すように、フロントキャビネット１０は、切込部１０７を形成することにより後述するタクトスイッチ１４に対応する位置に撓み変形可能なボタン部１０６を含んでいる。ボタン部１０６は、接続部１０６ａを支点にして撓み変形可能に形成されている。また、ボタン部１０６の表面側（Ｚ２方向側）には、図５に示すように、７つのボタン部１０６それぞれの周囲を覆うように形成されたシール部材１０６ｂが貼付されている。また、図７〜図９に示すように、Ｙ方向位置決め部１０２と、Ｘ方向位置決め部１０３と、固定部１０４と、レンズ固定部１０５と、ボタン部１０６とは、フロントキャビネット１０に一体的に形成されている。また、図１および図６〜図９に示すように、フロントキャビネット１０の下部（Ｚ２方向側）の前面側（Ｘ１方向側）には、レンズ部材２を露出させるための貫通孔１０８〜１１０が形成されている。
【００２６】
また、本実施形態では、図３および図４に示すように、操作用基板１は、フロントキャビネット１０の前後方向（Ｘ方向）に延びる内面１０１に対して略平行な状態で対向するように配置されている。具体的には、図４に示すように、操作用基板１は、操作用基板１の表面１ａおよび１ｂが内面１０１に対して略平行な状態で対向するように配置されている。また、操作用基板１は、図１１および図１２に示すように、Ｙ方向に延びる横長形状（略長方形形状）に形成されている。また、操作用基板１は、図１１に示すように、フロントキャビネット１０の内面１０１に対向する側とは反対側（Ｚ１方向側）の表面１ａにフロントキャビネット１０の周辺の照度を検出する照度センサ１１と、リモコンの操作信号入力を検出するリモコンセンサ１３と、液晶セル３０２の状態を表示するＬＥＤ１２とを含んでいる。詳細には、照度センサ１１は、ＴＶ１００の設置場所の明るさを検出する機能を有している。また、ＬＥＤ１２は、ＴＶ１００の電源状態に応じた色（たとえば、待機状態の場合には赤色）の光を出射するように構成されている。また、リモコンセンサ１３は、図示しないリモコンから発信されたＩＲ信号を受信する機能を有している。なお、照度センサ１１は、本発明の「照度検出素子」の一例である。また、ＬＥＤ１２は、本発明の「発光素子」の一例である。また、リモコンセンサ１３は、本発明の「リモコン信号受信素子」の一例である。また、表面１ａは、本発明の「他方の表面」の一例である。また、表面１ｂは、本発明の「一方の表面」の一例である。
【００２７】
また、操作用基板１は、図１２に示すように、フロントキャビネット１０の前後方向（Ｘ方向）に延びる内面１０１に対向する側（Ｚ２方向側）の表面１ｂに配置されるとともにユーザの手指によるスイッチ操作を検出する７つのタクトスイッチ１４を含んでいる。詳細には、タクトスイッチ１４は、フロントキャビネット１０の前面と直交する前後方向（Ｘ方向）に延びる側面の内面１０１に対向する側（Ｚ２方向側）の表面１ｂに配置されている。また、タクトスイッチ１４は、フロントキャビネット１０の下部（Ｚ２方向側）の側面の内面１０１に対向する側の操作用基板１の表面１ｂに配置されている。７つのタクトスイッチ１４は、それぞれ、所定の入力操作（たとえば、チャンネル調整など）に対応するように構成されている。また、７つのタクトスイッチ１４は、それぞれ、操作用基板１の長手方向（Ｙ方向）に所定の間隔を隔てて配置されている。また、７つのタクトスイッチ１４は、それぞれ、操作用基板１のフロントキャビネット１０のボタン部１０６に対応する位置に配置されている。また、タクトスイッチ１４は、ボタン部１０６が押下されることにより、オン状態とオフ状態とを切り替え可能なように構成されている。また、照度センサ１１と、ＬＥＤ１２と、リモコンセンサ１３と、タクトスイッチ１４とは、１つの操作用基板１に実装されるように構成されている。なお、タクトスイッチ１４は、本発明の「スイッチ素子」の一例である。
【００２８】
また、図１２に示すように、タクトスイッチ１４の近傍には、ユーザによりボタン部１０６が押下された際に切込部１０７（図１０参照）から侵入した静電気を放電するためのグランドパターン１５が操作用基板１の表面１ｂに露出するように配置されている。具体的には、グランドパターン１５は、操作用基板１のＺ２方向側の表面１ｂにレジストを設けないことにより形成されている。また、グランドパターン１５は、タクトスイッチ１４の近傍に侵入した静電気を逃がす機能するように構成されている。また、グランドパターン１５は、図４に示すように、板金製のアースプレート３の上部３１（図１３参照）を介して、ベゼル２０（図２参照）に電気的に接続されるように構成されている。また、グランドパターン１５は、アースプレート３の下部３２（図１３参照）に接触されるように構成されている。
【００２９】
また、図１１および図１２に示すように、操作用基板１は、短手方向（Ｘ方向）に対して、長さＬを有している。また、操作用基板１は、平面視において、フロントキャビネット１０のＹ方向位置決め部１０２（図８参照）に対応する位置であり、かつ、長辺１６に形成されたＹ方向位置決め部１６１と、一方の短辺１７に形成されたフロントキャビネット１０のＸ方向位置決め部１０３（図８参照）に対応する位置に形成されたＸ方向位置決め部１７１とを含んでいる。Ｙ方向位置決め部１６１は、フロントキャビネット１０（図１参照）に対して操作用基板１を位置決めする機能を有している。また、Ｙ方向位置決め部１６１は、切欠形状を有している。また、Ｙ方向位置決め部１６１は、フロントキャビネット１０のＹ方向位置決め部１０２に係合するように構成されている。また、Ｘ方向位置決め部１７１は、フロントキャビネット１０に対して操作用基板１を位置決めする機能を有している。また、Ｘ方向位置決め部１７１は、凹形状の切欠により形成されている。また、Ｘ方向位置決め部１７１は、図６に示すように、フロントキャビネット１０のＸ方向位置決め部１０３に係合するように構成されている。なお、Ｙ方向位置決め部１６１は、本発明の「第１位置決め部」の一例である。また、Ｘ方向位置決め部１７１は、本発明の「第２位置決め部」の一例である。
【００３０】
また、図１１および図１２に示すように、操作用基板１のＹ１方向側の短辺１８には、フロントキャビネット１０に操作用基板１を固定するための固定部１８１が形成されている。具体的には、固定部１８１は、Ｙ１方向に向けて突出する凸形状に形成されている。また、固定部１８１は、フロントキャビネット１０の固定部１０４（図６参照）に対応する位置に形成されている。また、操作用基板１は、図６に示すように、固定部１８１がフロントキャビネット１０の固定部１０４に係合されて、フロントキャビネット１０に固定されるように構成されている。また、フロントキャビネット１０に固定された操作用基板１は、フロントキャビネット１０に形成された浮き上がり抑制部１１１によりＺ１方向への移動が抑制されるように構成されている。
【００３１】
また、本実施形態では、レンズ部材２（図１４参照）は、図３、図４および図６に示すように、操作用基板１のＺ１方向側に１つ配置されている。また、レンズ部材２は、光を透過しやすい透明または半透明の樹脂（たとえば、ＡＢＳ（Ａａｃｒｙｌｏｎｉｔｒｉｌｅ  Ｂｕｔａｄｉｅｎｅ  Ｓｔｙｒｅｎｅ）樹脂など）により一体的に形成されている。また、図１４および図１５に示すように、レンズ部材２のＹ方向の両端部には、レンズ部材２をフロントキャビネット１０に固定するための一対の固定部２１が形成されている。固定部２１は、フロントキャビネット１０のレンズ固定部１０５（図７参照）に係合するように構成されている。また、レンズ部材２は、Ｚ方向に対して、高さｈ１を有している。また、図４に示すように、操作用基板１のフロントキャビネット１０の前後方向（Ｘ方向）に延びる内面１０１に対向する側の表面１ｂからレンズ部材２の先端部２ａまでの高さｈ２は、フロントキャビネット１０の前後方向に沿った操作用基板１の短辺１７および１８の長さＬ（図１１参照）よりも小さくなるように構成されている。すなわち、操作用基板１の厚みｔと、レンズ部材２の高さｈ１とを足し合わせた長さ（高さｈ２）は、操作用基板１の短辺１７および１８の長さＬよりも小さくなるように構成されている。
【００３２】
また、レンズ部材２は、図１４および図１５に示すように、照度センサ用レンズ２２と、ＬＥＤ用レンズ２３と、リモコンセンサ用レンズ２４とを含んでいる。また、照度センサ用レンズ２２と、ＬＥＤ用レンズ２３と、リモコンセンサ用レンズ２４とは、ぞれぞれ、操作用基板１（図１１参照）の照度センサ１１と、ＬＥＤ１２と、リモコンセンサ１３とに対応する位置に形成されている。また、１つのレンズ部材２は、操作用基板１の照度センサ１１と、ＬＥＤ１２と、リモコンセンサ１３とを覆うように配置されている。詳細には、レンズ部材２の照度センサ用レンズ２２と、ＬＥＤ用レンズ２３と、リモコンセンサ用レンズ２４とは、ぞれぞれ、操作用基板１の照度センサ１１と、ＬＥＤ１２と、リモコンセンサ１３とを覆うように配置されている。
【００３３】
また、レンズ部材２は、図１５に示すように、リモコンの操作による信号としての光（赤外線）を操作用基板１（図１１参照）に向けて反射させてリモコンセンサ１３に入射させるとともに、外部からの光を操作用基板１に向けて反射させて照度センサ１１に入射させ、ＬＥＤ１２から出射された液晶セル３０２の状態を表示する光を操作用基板１に対して略平行な方向（Ｘ方向）に反射させてフロントキャビネット１０の前面側（Ｘ１方向側）に照射するように構成されている。また、照度センサ用レンズ２２は、フロントキャビネット１０の前面側の貫通孔１０８から入射するＴＶ１００の設置位置の光を照度センサ１１の方向に反射させる傾斜部２２ｂを有している。また、ＬＥＤ用レンズ２３は、ＬＥＤ１２から出射された光を反射させて、前面側の貫通孔１０９からＴＶ１００の正面方向（Ｘ１方向）に向けて出射させる傾斜部２３ｂを有している。また、リモコンセンサ用レンズ２４は、フロントキャビネット１０の前面側の貫通孔１１０から入射する図示しないリモコンからのＩＲ信号をリモコンセンサ１３の方向に反射させる傾斜部２４ｂを有している。また、リモコンセンサ１３は、貫通孔１１０を介して、前面側から入力されたリモコン操作信号を検出可能なように構成されている。また、図６に示すように、照度センサ用レンズ２２の凸部２２ａと、ＬＥＤ用レンズ２３の凸部２３ａと、リモコンセンサ用レンズ２４の凸部２４ａとは、それぞれ、フロントキャビネット１０の貫通孔１０８〜１１０から露出するように構成されている。
【００３４】
また、本実施形態では、ベゼル２０は、図２および図４に示すように、液晶モジュール３０の前面側（Ｘ１方向側）に配置されている。また、ベゼル２０は、フロントキャビネット１０の内部に設けられている。また、ベゼル２０は、図２に示すように、上側部２０１と、右側部２０２と、下側部２０３と、左側部２０４とを、互いに、ネジ２０５で固定することにより構成されている。また、ベゼル２０は、全体として枠状に形成されている。また、ベゼル２０は、金属（板金）により形成されている。また、ベゼル２０は、接地されることによりＴＶ１００に侵入した静電気を放電可能に構成されている。
【００３５】
また、液晶モジュール３０は、図２に示すように、拡散シート３０１と、液晶セル３０２と、樹脂フレーム３０３と、光学シート３０４と、導光板３０５と、反射シート３０６とを含んでいる。また、液晶モジュール３０（液晶セル３０２）フロントキャビネット１０の前面側（Ｘ１方向側）から露出するように配置されている。なお、液晶セル３０２は、本発明の「表示部」の一例である。
【００３６】
液晶モジュール３０の背面側（Ｘ２方向側）には、図２に示すように、ヒートシンク４０が配置されている。また、ヒートシンク４０は、ＴＶ１００の正面（Ｘ１方向側）から見て、Ｙ１方向側に配置されている。また、ヒートシンク４０には、導光板３０５に光を入射させるＬＥＤモジュール５０が配置されている。また、ＬＥＤモジュール５０には、上下方向（Ｚ方向）に略平行な方向に沿うようにＬＥＤ（半導体発光素子）が配置されている。
【００３７】
また、リアフレーム６０は、図２および図３に示すように、ヒートシンク４０の背面側（Ｘ２方向側）に配置されている。また、リアフレーム６０は、枠状に形成された外枠部６０１と、外枠部６０１に囲まれるように配置されている基板取付部６０２と、外枠部６０１の上部（Ｚ１方向側）を覆う上枠部６０３とを含んでいる。また、外枠部６０１および上枠部６０３は、樹脂により形成されている。また、外枠部６０１は、略長方形形状の概略枠状に形成されている。また、基板取付部６０２は、板金により略矩形形状に形成されている。
【００３８】
また、メイン基板７０は、図２および図３に示すように、リアフレーム６０の基板取付部６０２の背面側（Ｘ２方向側）に配置されている。また、メイン基板７０は、信号処理用の回路基板７０１と、電源生成用の回路基板７０２とから構成されている。また、リアカバー８０は、リアフレーム６０（基板取付部６０２）に取り付けられたメイン基板７０の背面側（Ｘ２方向側）を覆うように配置されている。また、回路基板７０２は、図示しない配線により、操作用基板１のコネクタ１９（図１１）に接続されるように構成されている。
【００３９】
次に、図４および図６を参照して操作用基板１の取付手順について説明する。まず、図４に示すように、アースプレート３（図１３参照）を配置したフロントキャビネット１０の内面１０１側に操作用基板１の表面１ｂを対向させるようにして操作用基板１を配置する。この際、図６に示すように、操作用基板１のＹ方向位置決め部１６１をフロントキャビネット１０のＹ方向位置決め部１０２に係合してＹ方向の位置決めを行う。また、操作用基板１のＸ方向位置決め部１７１をフロントキャビネット１０のＸ方向位置決め部１０３に係合してＸ方向の位置決めを行う。この状態で、操作用基板１の固定部１８１をフロントキャビネット１０の固定部１０４に係合して、操作用基板１をフロントキャビネット１０に固定する。そして、レンズ部材２（図１５参照）の固定部２１を操作用基板１のレンズ固定部１０５に係合する。この際、レンズ部材２の凸部２６ａ〜２６ｃが、それぞれ、フロントキャビネット１０の貫通孔１０８〜１１０から露出するようにレンズ部材２をフロントキャビネット１０に取り付ける。
【００４０】
本実施形態では、上記のように、スイッチ操作を検出するタクトスイッチ１４と、リモコンの操作信号の入力を検出するリモコンセンサ１３とを、１つの操作用基板１の表面１ａおよび１ｂに実装することによって、タクトスイッチ１４と、リモコンセンサ１３とを同一の操作用基板１に設けることができるので、タクトスイッチ１４と、リモコンセンサ１３とを別個の基板に設ける場合とは異なり、タクトスイッチ１４およびリモコンセンサ１３を含む操作用基板１の構造を簡素化することができる。また、操作用基板１をフロントキャビネット１０の前後方向に延びる内面１０１に対して略平行な状態で対向するように配置することによって、操作用基板１をフロントキャビネット１０の前後方向に対して垂直な状態で配置した場合に比べて、操作用基板１を配置するためのフロントキャビネット１０の前後方向に対して垂直な方向のスペースを小さくすることができるので、ＴＶ１００の額縁が大きくなるのを抑制することができる。この結果、ＴＶ１００の狭額縁化を図りつつ、タクトスイッチ１４およびリモコンセンサ１３を含む操作用基板１の構造を簡素化することができる。また、１つの操作用基板１の一方の表面１ｂにタクトスイッチ１４を配置し、他方の表面１ａにリモコンセンサ１３を配置することによって、操作用基板１の両面を用いて、タクトスイッチ１４とリモコンセンサ１３とを、それぞれ、実装することができるので、基板の片面にのみタクトスイッチ１４とリリモコンセンサ１３との両方を実装する場合と異なり、１つの操作用基板１にタクトスイッチ１４とリモコンセンサ１３とを効率よく実装することができる。その結果、タクトスイッチ１４を容易に小型化することができる。また、リモコン操作を検出するリモコンセンサ１３をタクトスイッチ１４が実装された基板とは別な基板に実装する場合とは異なり、同一の操作用基板１の表面１ａおよび１ｂにリモコンセンサ１３とタクトスイッチ１４とを配置することができるので、予めユーザがタクトスイッチ１４の位置が分かっている場合には、タクトスイッチ１４が配置されている位置に向けてリモコンを操作することにより、確実にリモコンセンサ１３にリモコン操作信号を受信させることができる。
【００４１】
また、本実施形態では、フロントキャビネット１０の前面と直交する前後方向に延びる側面の内面１０１に対向する側の操作用基板１の表面１ｂにタクトスイッチ１４を配置するとともに、操作用基板１の表面１ａにリモコンセンサ１３を配置することによって、ユーザがタクトスイッチ１４を操作する際に、前後方向に対して垂直な方向に向けて操作力を加えることができるので、前後方向に向かって操作力が加えられる場合とは異なり、ＴＶ１００が前後方向に揺れてしまうのを抑制することができる。
【００４２】
また、本実施形態では、フロントキャビネット１０の下部の側面の内面１０１に対向する側の基板の表面１ｂにタクトスイッチ１４を配置することによって、ユーザがタクトスイッチ１４を操作する際に、操作力が加わる方向とは反対方向（鉛直方向）にＴＶ１００の自重が作用されるので、ＴＶ１００が上下方向にがたついたり、ＴＶ１００の設置位置がずれてしまうのを容易に抑制することができる。
【００４３】
また、本実施形態では、フロントキャビネット１０の前面側に貫通孔１１０を設け、貫通孔１１０を介して前面側から入力されたリモコン操作信号を検出可能なようにリモコンセンサ１３を構成することによって、リモコンセンサ１３、前面側から入力されたリモコン操作信号を容易に検出することができる。
【００４４】
また、本実施形態では、タクトスイッチ１４およびリモコンセンサ１３に加えて、リモコンセンサ１３が配置された側の表面１ａに照度センサ１１およびＬＥＤ１２をさらに設けることによって、操作用基板１の両面を用いて、１つの操作用基板１にタクトスイッチ１４とリモコンセンサ１３と照度センサ１１とＬＥＤ１２とを効率よく実装することができる。
【００４５】
また、本実施形態では、リモコンセンサ１３と、照度センサ１１と、ＬＥＤ１２とを覆うように配置される１つのレンズ部材２を設けるとともに、リモコンの操作信号としての光を操作用基板１に向けて反射させてリモコンセンサ１３に入射させるとともに、外部からの光を操作用基板１に向けて反射させて照度センサ１１に入射させ、かつ、ＬＥＤ１２から出射された液晶セル３０２の状態を表示する光を操作用基板１に対して略平行な方向に反射させてフロントキャビネット１０の前面側に照射するようにレンズ部材２を構成することによって、１つのレンズ部材２により、外部からの信号および光を、リモコンセンサ１３および照度センサ１１とがそれぞれ検出し易い方向に反射させることができるので、確実に外部からの信号としての信号および光を検出することができるとともに、操作用基板１に対してＬＥＤ１２から垂直な方向に向けて出射された光をＴＶ１００の前面側に向けて反射させることができる。これにより、確実にユーザに対して液晶セル３０２の状態を通知することができる。また、１つのレンズ部材２により上記のような複数の反射機能を得ることができるので、部品点数の増加を抑制し、かつ、構造が複雑化することがない。
【００４６】
また、本実施形態では、略長方形形状に操作用基板１を形成し、フロントキャビネット１０の内面１０１に対向する側の操作用基板１の表面１ｂからレンズ部材２の先端部２ａまでの高さｈ２が、フロントキャビネット１０の前後方向に沿った操作用基板１の短辺の長さＬよりも小さくなるように構成することによって、操作用基板１にレンズ部材を設けた場合でも、操作用基板１をフロントキャビネット１０の前後方向に対して垂直な状態で配置した場合に比べて、操作用基板１を配置するためのフロントキャビネット１０の前後方向に対して垂直な方向のスペースを小さくすることができる。
【００４７】
また、本実施形態では、樹脂製のフロントキャビネット１０のタクトスイッチ１４に対応する位置にボタン部１０６を設けるとともに、操作用基板１のタクトスイッチ１４の近傍にはグランドパターン１５を露出するように配置することによって、切込部１０７からＴＶ１００内部に侵入する静電気をグランドパターン１５により除去することができるので、静電気に起因して、タクトスイッチ１４が誤動作を起こすのを抑制することができる。
【００４８】
また、本実施形態では、操作用基板１のグランドパターン１５を金属製のベゼル２０に電気的に接続することによって、グランドパターン１５に流れた静電気をベゼル２０に流して、容易に、放電することができる。
【００４９】
また、本実施形態では、Ｙ方向位置決め部１６１と、Ｘ方向位置決め部１７１とを操作用基板１に設け、Ｙ方向位置決め部１６１に対応する位置に形成されたＹ方向位置決め部１０２と、Ｘ方向位置決め部１７１に対応する位置に形成されたＸ方向位置決め部１０３と、操作用基板１を固定する固定部１０４とをフロントキャビネット１０に設けることによって、Ｙ方向位置決め部１６１およびＹ方向位置決め部１０２と、Ｘ方向位置決め部１７１およびＸ方向位置決め部１０３とにより、フロントキャビネット１０に対する操作用基板１の位置決めを行った状態で、操作用基板１をフロントキャビネット１０に固定することができる。これにより、操作用基板１をフロントキャビネット１０の正確な位置に容易かつ確実に固定することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、本発明をテレビジョン装置に適用する例を示したが、本発明はこれに限られない。テレビジョン装置以外の表示装置に本発明を適用してもよい。たとえば、ＰＣ（パーソナルコンピュータ）のディスプレイなどに本発明を適用してもよい。
【００５２】
また、上記実施形態では、操作用基板１をフロントキャビネット１０に配置した例を示したが、本発明はこれに限られない。本発明では、基板を筺体としてのリアキャビネットに配置してもよい。
【００５３】
また、上記実施形態では、スイッチ素子がタクトスイッチ１４である例を示したが、本発明はこれに限られない。本発明では、たとえば、トグルスイッチなど、タクトスイッチ１４以外のスイッチ素子であってもよい。
【００５４】
また、上記実施形態では、発光素子がＬＥＤ１２である例を示したが、本発明はこれに限られない。本発明では、表示装置の表示部の状態を表示可能な素子であれば、ＬＥＤ１２以外の発光素子であってもよい。
【００５５】
また、上記実施形態では、グランドパターン１５を操作用基板１に一体的に設けた例を示したが、本発明はこれに限られない。本発明では、グランドパターン１５を有する基板とは別に静電気対策用の専用のアース板を設けてもよい。
【００５６】
また、上記実施形態では、フロントキャビネット１０の固定部１０４により、操作用基板１をフロントキャビネット１０に固定した例を示したが、本発明はこれに限られない。本発明では、筺体の固定部１０４以外の、たとえば、両面テープなどにより、基板を筺体に固定してもよい。
【００５７】
また、上記実施形態では、フロントキャビネット１０の下部の側面の内面１０１に対向する側の操作用基板１の表面１ｂにタクトスイッチ１４が配置されている例を示したが、本発明はこれに限られない。本発明では、筺体の上部、左側または右側の側面の内面に対向する側の基板の表面にスイッチ素子が配置されていてもよい。
【符号の説明】
【００５８】
１  操作用基板（基板）
１ａ  表面（他方の表面）
１ｂ  表面（一方の表面）
２  レンズ部材
１０  フロントキャビネット（筺体）
１１  照度センサ（照度検出素子）
１２  ＬＥＤ（発光素子）
１３  リモコンセンサ（リモコン信号受信素子）
１４  タクトスイッチ（スイッチ素子）
１５  グランドパターン
２０  ベゼル       
１００  ＴＶ（表示装置）
１０１  内面
１１０  貫通孔
１０２  Ｙ方向位置決め部（第３位置決め部）
１０３  Ｘ方向位置決め部（第４位置決め部）
１０６  ボタン部
１０７  切込部
１６１  Ｙ方向位置決め部（第１位置決め部）
１７１  Ｘ方向位置決め部（第２位置決め部）
３０２  液晶セル（表示部）
【図１】
2014107856.tif 000003
【図２】
2014107856.tif 000004
【図３】
2014107856.tif 000005
【図４】
2014107856.tif 000006
【図５】
2014107856.tif 000007
【図６】
2014107856.tif 000008
【図７】
2014107856.tif 000009
【図８】
2014107856.tif 000010
【図９】
2014107856.tif 000011
【図１０】
2014107856.tif 000012
【図１１】
2014107856.tif 000013
【図１２】
2014107856.tif 000014
【図１３】
2014107856.tif 000015
【図１４】
2014107856.tif 000016
【図１５】
2014107856.tif 000017